(57)【要約】【課題】すれ違い用配光パターンと走行用配光パターンとを切り替え可能としつつ大きさや重量の増加を抑制することのできる車両用灯具を提供する。【解決手段】車両用灯具１０は、集光上部パターン（６５、６７、６８）のための集光上部出射部（２２、３２）と、集光下部パターン（６３、６４、６６）のための集光下部出射部（２１、３１）と、それらの光を投影する集光投影レンズ（２４、３４）とを有する集光ユニット１２と、拡散上部パターン７３のための拡散上部出射部４２と、拡散下部パターン（７１、７２）のための拡散下部出射部４１と、それらの光を投影する拡散投影レンズ４４とを有する拡散ユニット１３と、を備え、集光下部パターンと拡散下部パターンとによりすれ違い用配光パターンＬＰを形成し、集光上部パターンと拡散上部パターン７３とにより走行用配光パターンＨＰを形成する。【選択図】図１
2019220377.tif 000002
【特許請求の範囲】
【請求項１】
集光配光パターンを形成する集光ユニットと、
前記集光配光パターンよりも広範囲に形成されて前記集光配光パターンに少なくとも一部が重ねられる拡散配光パターンを形成する拡散ユニットと、を備え、
前記集光ユニットは、前記集光配光パターンの上部となる集光上部パターンを形成する光を出射する集光上部出射部と、前記集光配光パターンの下部となる集光下部パターンを形成する光を出射する集光下部出射部と、前記集光上部出射部および前記集光下部出射部から出射された光を光軸方向前側に投影する集光投影レンズと、を有し、
前記拡散ユニットは、前記拡散配光パターンの上部となる拡散上部パターンを形成する光を出射する拡散上部出射部と、前記拡散配光パターンの下部となる拡散下部パターンを形成する光を出射する拡散下部出射部と、前記拡散上部出射部および前記拡散下部出射部から出射された光を光軸方向前側に投影する拡散投影レンズと、を有し、
前記集光下部パターンと前記拡散下部パターンとによりすれ違い用配光パターンを形成し、
前記集光上部パターンと前記拡散上部パターンとにより走行用配光パターンを形成することを特徴とする車両用灯具。
【請求項２】
前記集光ユニットは、傾斜するカットオフラインを有する集光傾斜下部パターンを形成する集光傾斜ユニットを有することを特徴とする請求項１に記載の車両用灯具。
【請求項３】
前記集光ユニットは、水平なカットオフラインを有する集光水平下部パターンを形成する集光水平ユニットを有することを特徴とする請求項１または請求項２に記載の車両用灯具。
【請求項４】
前記集光上部出射部と前記集光下部出射部と前記拡散上部出射部と前記拡散下部出射部とは、それぞれが個別に、光源と、前記光源からの光を成形するレンズと、を有することを特徴とする請求項１から請求項３までのいずれか１項に記載の車両用灯具。
【請求項５】
前記集光上部出射部と前記集光下部出射部とは、少なくとも一方が２組の前記光源と前記レンズとを有し、
前記拡散上部出射部と前記拡散下部出射部とは、少なくとも一方が２組の前記光源と前記レンズとを有することを特徴とする請求項４に記載の車両用灯具。
【請求項６】
前記集光上部出射部および前記集光下部出射部の光軸方向前側で前記集光上部出射部と前記集光下部出射部との間に集光シェードが設けられ、
前記拡散上部出射部および前記拡散下部出射部の光軸方向前側で前記拡散上部出射部と前記拡散下部出射部との間に拡散シェードが設けられていることを特徴とする請求項４または請求項５に記載の車両用灯具。
【請求項７】
前記集光投影レンズと前記拡散投影レンズとは、鉛直方向のみに屈折力を持つシリンドリカルレンズで形成されていることを特徴とする請求項１から請求項６までのいずれか１項に記載の車両用灯具。
【請求項８】
前記集光投影レンズと前記拡散投影レンズとは、光軸方向前側の出射面が鉛直方向のみに屈折力を持つものとされ、光軸方向後側の入射面が水平方向のみに屈折力を持つものとされていることを特徴とする請求項１から請求項６までのいずれか１項に記載の車両用灯具。
【請求項９】
前記集光投影レンズと前記拡散投影レンズとは、光軸方向前側からの投影面において互いに等しい形状とされていることを特徴とする請求項１から請求項８までのいずれか１項に記載の車両用灯具。
【発明の詳細な説明】
【技術分野】
【０００１】
本開示は、車両用灯具に関する。
【背景技術】
【０００２】
車両用灯具は、すれ違い用配光パターンと走行用配光パターンとを切り替え可能に形成するものがある。このような車両用灯具は、光源からの光の一部を遮るようにシェードを設け、そのシェードを光の一部を遮る位置と遮らない位置とで移動させることで、すれ違い用配光パターンと走行用配光パターンとの切り替えを可能とするものが知られている（例えば、特許文献１等参照）。この車両用灯具は、シェードを光の一部を遮る位置と遮らない位置との間で回転可能に設け、そのシェードを駆動機構により２つの位置のいずれかに変位させている。
【先行技術文献】
【特許文献】
【０００３】
【特許文献１】特開２０１２−１５１０５８号公報
【発明の概要】
【発明が解決しようとする課題】
【０００４】
しかしながら、従来の車両用灯具は、シェードを変位させるための駆動機構を設ける必要があり、大きさや重量の増加を招いてしまう。
【０００５】
本開示は、上記の事情に鑑みて為されたもので、すれ違い用配光パターンと走行用配光パターンとを切り替え可能としつつ大きさや重量の増加を抑制することのできる車両用灯具を提供することを目的とする。
【課題を解決するための手段】
【０００６】
本開示の車両用灯具は、集光配光パターンを形成する集光ユニットと、前記集光配光パターンよりも広範囲に形成されて前記集光配光パターンに少なくとも一部が重ねられる拡散配光パターンを形成する拡散ユニットと、を備え、前記集光ユニットは、前記集光配光パターンの上部となる集光上部パターンを形成する光を出射する集光上部出射部と、前記集光配光パターンの下部となる集光下部パターンを形成する光を出射する集光下部出射部と、前記集光上部出射部および前記集光下部出射部から出射された光を光軸方向前側に投影する集光投影レンズと、を有し、前記拡散ユニットは、前記拡散配光パターンの上部となる拡散上部パターンを形成する光を出射する拡散上部出射部と、前記拡散配光パターンの下部となる拡散下部パターンを形成する光を出射する拡散下部出射部と、前記拡散上部出射部および前記拡散下部出射部から出射された光を光軸方向前側に投影する拡散投影レンズと、を有し、前記集光下部パターンと前記拡散下部パターンとによりすれ違い用配光パターンを形成し、前記集光上部パターンと前記拡散上部パターンとにより走行用配光パターンを形成することを特徴とする。
【発明の効果】
【０００７】
本開示の車両用灯具によれば、すれ違い用配光パターンと走行用配光パターンとを切り替え可能としつつ大きさや重量の増加を抑制できる。
【図面の簡単な説明】
【０００８】
【図１】本開示に係る車両用灯具の一実施形態に係る一例としての車両用灯具の構成を示す説明図である。
【図２】集光傾斜ユニットを示す説明図である。
【図３】集光傾斜配光パターンを示す説明図である。
【図４】集光水平ユニットを示す説明図である。
【図５】集光水平配光パターンを示す説明図である。
【図６】集光配光パターンを示す説明図である。
【図７】拡散ユニットを示す説明図である。
【図８】拡散配光パターンを示す説明図である。
【図９】車両用灯具が形成する走行用配光パターンおよびすれ違い用配光パターンを示す説明図である。
【図１０】水平方向に並べられた３つの投影レンズを光軸方向前側から見た様子を示す説明図である。
【図１１】他の例の集光傾斜投影レンズを示す説明図である。
【発明を実施するための形態】
【０００９】
以下に、本開示に係る車両用灯具の一実施形態としての車両用灯具１０の実施例１について図１から図１１を参照しつつ説明する。なお、図３、図５、図６、図８および図９では、見分けを容易とするために、すれ違い用配光パターンＬＰとなる各下部パターン（６３、６４、６６、７１、７２）に互いに異なるハッチやドットを付して示している。
【実施例１】
【００１０】
車両用灯具１０は、自動車等の車両に用いられる例えばヘッドランプやフォグランプ等の灯具として用いられるもので、実施例１ではヘッドランプに用いた例を示す。車両用灯具１０は、車両の前部の左右両側で、ランプハウジングの開放された前端がアウターレンズで覆われて形成される灯室１１（図１参照）に、上下方向用光軸調整機構や幅方向用光軸調整機構を介して設けられる。以下の説明では、車両用灯具１０において、車両の直進時の進行方向であって光を照射する方向を光軸方向（前側）とし、車両に搭載された状態での鉛直方向を上下方向とし、光軸方向および上下方向に直交する方向を幅方向とする。
【００１１】
車両用灯具１０は、図１に示すように、集光配光パターン６０（図６参照）を形成する集光ユニット１２と、集光配光パターン６０よりも広い範囲を照らす拡散配光パターン７０（図８参照）を形成する拡散ユニット１３とを備える。集光ユニット１２と拡散ユニット１３とは、少なくとも一部が重なるように集光配光パターン６０および拡散配光パターン７０を形成することで、後述するように走行用配光パターンＨＰやすれ違い用配光パターンＬＰを形成する（図９参照）。
【００１２】
実施例１の集光ユニット１２は、集光傾斜配光パターン６１（図３参照）を形成する集光傾斜ユニット１４と、集光水平配光パターン６２（図５参照）を形成する集光水平ユニット１５と、を有する。集光傾斜ユニット１４と集光水平ユニット１５とは、少なくとも一部が重なるように集光傾斜配光パターン６１および集光水平配光パターン６２を形成することで集光配光パターン６０を形成する（図３参照）。この集光傾斜ユニット１４および集光水平ユニット１５と、上記した拡散ユニット１３とは、実施例１では水平方向に並べて配置されている。なお、この各ユニット（１４、１５、１３）は、後述するように走行用配光パターンＨＰやすれ違い用配光パターンＬＰの形成を可能とするものであれば、並べる順番や並べる方向や互いの位置関係は適宜設定すればよく、実施例１の構成に限定されない。
【００１３】
集光傾斜ユニット１４は、図２に示すように、集光傾斜下部出射部２１と集光傾斜上部出射部２２と集光傾斜シェード２３と集光傾斜投影レンズ２４とを有する。集光傾斜下部出射部２１は、第１下部光源２１ａ（図１参照）と第１下部レンズ２１ｂとを有する第１集光傾斜下部出射部２１１と、第２下部光源２１ｃ（図１参照）と第２下部レンズ２１ｄとを有する第２集光傾斜下部出射部２１２と、を備える。両下部出射部（２１１、２１２）は、第１集光傾斜下部出射部２１１よりも第２集光傾斜下部出射部２１２を上方に位置させるように、水平面に対して傾斜して並んで設けられている。両下部出射部（２１１、２１２）は、実施例１では、後述する第１集光傾斜下部パターン６３および第２集光傾斜下部パターン６４の傾斜部分Ｃｌｓ（図３参照）を水平面に対して略１５度傾斜させるように、互いの中心線（光軸）を結んだ線が水平面に対して傾斜されている。
【００１４】
第１下部光源２１ａおよび第２下部光源２１ｃは、それぞれがＬＥＤ（Light Emitting Diode）等の発光素子で構成され、同一の基板に実装されている。その基板は、点灯制御回路からの電力を第１下部光源２１ａや第２下部光源２１ｃに適宜供給することができ、第１下部光源２１ａおよび第２下部光源２１ｃを適宜一斉にまたは個別に点灯させる。
【００１５】
第１下部レンズ２１ｂは、第１下部光源２１ａに対応するもので、第１下部光源２１ａの光軸方向前側に設けられている。第１下部レンズ２１ｂは、鉛直方向に直交する断面で見ると、第１下部光源２１ａの近傍に第１焦点を位置させるとともに、集光傾斜シェード２３の先端２３ａの近傍に第２焦点を位置させる楕円を基調とする自由曲面とされている。また、第１下部レンズ２１ｂは、水平方向に直交する断面で見ると、第１下部光源２１ａの近傍に焦点を位置させる略放物面とされている。第１下部レンズ２１ｂは、集光傾斜投影レンズ２４と協働して第１集光傾斜下部パターン６３（図３参照）を形成するように、第１下部光源２１ａから出射された光を成形する光学設計とされている。実施例１の第１集光傾斜下部パターン６３は、後述する傾斜部分Ｃｌｓの斜め下方の長尺な半円状の領域を照らす。
【００１６】
第２下部レンズ２１ｄは、第２下部光源２１ｃに対応するもので、第２下部光源２１ｃの光軸方向前側に設けられている。第２下部レンズ２１ｄは、対応するものが第１下部光源２１ａから第２下部光源２１ｃに変わることを除くと、第１下部レンズ２１ｂと同様の構成とされている。第２下部レンズ２１ｄは、集光傾斜投影レンズ２４と協働して第２集光傾斜下部パターン６４（図３参照）を形成するように、第２下部光源２１ｃから出射された光を成形する光学設計とされている。実施例１の第２集光傾斜下部パターン６４は、第１集光傾斜下部パターン６３全体を含むとともに、第１集光傾斜下部パターン６３の右斜め下側の小さな領域と、第１集光傾斜下部パターン６３の左側の大きな領域と、を併せた長尺な領域を照らす。
【００１７】
集光傾斜上部出射部２２は、第１集光傾斜下部出射部２１１と第２集光傾斜下部出射部２１２との間の下方に設けられており、光軸方向前側から見て、両下部出射部（２１１、２１２）と三角形を描く位置関係で配置されている。集光傾斜上部出射部２２は、両下部出射部（２１１、２１２）が水平面に対して傾斜することに合わせて第２集光傾斜下部出射部２１２側へと斜め上方に変位されている。
【００１８】
集光傾斜上部出射部２２は、上部光源２２ａ（図１参照）と上部レンズ２２ｂとを有する。上部光源２２ａは、ＬＥＤ等の発光素子で構成され、第１下部光源２１ａおよび第２下部光源２１ｃが実装された基板に実装されている。その基板は、点灯制御回路からの電力を上部光源２２ａにも適宜供給することができ、第１下部光源２１ａや第２下部光源２１ｃと共にまたは個別に上部光源２２ａを点灯させる。なお、各光源（２１ａ、２１ｃ、２２ａ）は、別々の基板に設けられていてもよく、２つのみが同じ基板に設けられていてもよく、実施例１の構成に限定されない。
【００１９】
上部レンズ２２ｂは、上部光源２２ａに対応するもので、上部光源２２ａの光軸方向前側に設けられている。上部レンズ２２ｂは、対応するものが第１下部光源２１ａから上部光源２２ａに変わることを除くと、第１下部レンズ２１ｂと同様の構成とされている。上部レンズ２２ｂは、集光傾斜投影レンズ２４と協働して集光傾斜上部パターン６５（図３参照）を形成するように、上部光源２２ａから出射された光を成形する光学設計とされている。実施例１の集光傾斜上部パターン６５は、後述する傾斜部分Ｃｌｓの斜め上方の長尺な半円状の領域を照らす。
【００２０】
集光傾斜シェード２３は、集光シェードとして機能するもので、薄い板状の部材であり、集光傾斜下部出射部２１から出射された光の一部を遮ることで、第１集光傾斜下部パターン６３および第２集光傾斜下部パターン６４の傾斜部分Ｃｌｓ（図３参照）を形成する。この傾斜部分Ｃｌｓは、すれ違い用配光パターンＬＰ（図９参照）におけるカットオフラインＣｌの一部分である傾斜する箇所を構成する。集光傾斜シェード２３は、両下部出射部（２１１、２１２）および集光傾斜上部出射部２２の前方において、集光傾斜下部出射部２１と集光傾斜上部出射部２２との間に相当する位置で、両下部出射部（２１１、２１２）が並ぶ方向と平行に設けられて水平面に対して傾斜されている。集光傾斜シェード２３は、実施例１では、上記した位置関係で設けられているので、集光傾斜上部出射部２２から出射された光の一部も遮るものとされており、集光傾斜上部パターン６５の左下端部を傾斜部分Ｃｌｓに沿う直線状とする（図３参照）。
【００２１】
集光傾斜投影レンズ２４は、両下部出射部（２１１、２１２）および集光傾斜上部出射部２２から出射された光を車両の前方へ投影する。実施例１の集光傾斜投影レンズ２４は、幅方向に伸びつつ鉛直方向のみに屈折力を持つ（幅方向に直交する断面で凸レンズまたは凹レンズとされている）シリンドリカルレンズで形成されており、後側焦線が集光傾斜シェード２３の先端２３ａの近傍でその先端２３ａに沿って設定されている。実施例１の集光傾斜投影レンズ２４は、母線ｇ（光軸に直交する方向において屈折力を持たない方向に伸びる光学面状の線）が、集光傾斜シェード２３に合わせてすなわち第２集光傾斜下部出射部２１２側へと斜め上方に変位するように傾斜されている。実施例１の集光傾斜投影レンズ２４は、光軸方向前側からの投影面における形状が水平方向に長尺な略矩形状とされており、その長尺な方向に対して母線ｇが傾斜されている（図１０参照）。換言すると、集光傾斜投影レンズ２４は、母線ｇが傾斜された状態の破線で示すシリンドリカルレンズの上端および下端が水平方向に切り取られた形状とされており、上記した投影面における形状が後述する集光水平投影レンズ３４および拡散投影レンズ４４と略等しくされている（図１０参照）。集光傾斜投影レンズ２４は、第１集光傾斜下部出射部２１１からの光で第１集光傾斜下部パターン６３を形成し、第２集光傾斜下部出射部２１２からの光で第２集光傾斜下部パターン６４を形成し、集光傾斜上部出射部２２からの光で集光傾斜上部パターン６５を形成する（図３参照）。
【００２２】
集光傾斜ユニット１４は、集光傾斜下部出射部２１と集光傾斜上部出射部２２と集光傾斜シェード２３と集光傾斜投影レンズ２４とが上記した位置関係で固定部材に固定されて形成される。この固定部材は、例えば、各出射部（２１、２２）の各光源（２１ａ、２１ｃ、２２ａ）で発生する熱を外部に逃がす放熱部材としてのヒートシンクを用いることができる。
【００２３】
集光傾斜ユニット１４は、点灯制御回路からの電力を基板から各光源（２１ａ、２１ｃ、２２ａ）に供給して各出射部（４１１、４１２、４２）を適宜一斉にまたは個別に点灯させることで、図３に示すように、上記した各配光パターン（６３、６４、６５）を一斉にまたは個別に形成する。その第１集光傾斜下部パターン６３および第２集光傾斜下部パターン６４は、傾斜部分Ｃｌｓを含む中央付近が重複されている。このため、その２つの傾斜下部パターン（６３、６４）を同時に形成した際に、傾斜部分Ｃｌｓを含むその下方を明るくすることができ、傾斜部分Ｃｌｓの上下の陰影を明確にできる。また、集光傾斜上部パターン６５は、傾斜部分Ｃｌｓに略重なるように両傾斜下部パターン（６３、６４）の上方に形成される。その傾斜部分Ｃｌｓは、集光傾斜下部出射部２１、集光傾斜上部出射部２２、集光傾斜シェード２３および集光傾斜投影レンズ２４の位置関係と光学設計とにより、水平面に対して略１５度傾斜されている。
【００２４】
集光水平ユニット１５は、図４に示すように、集光水平下部出射部３１と集光水平上部出射部３２と集光水平シェード３３と集光水平投影レンズ３４とを有する。集光水平下部出射部３１は、下部光源３１ａ（図１参照）と下部レンズ３１ｂとを有する。下部光源３１ａは、ＬＥＤ等の発光素子で構成され、基板に実装されている。その基板は、点灯制御回路からの電力を下部光源３１ａにも適宜供給することができ、下部光源３１ａを適宜点灯させる。
【００２５】
下部レンズ３１ｂは、下部光源３１ａに対応するもので、下部光源３１ａの光軸方向前側に設けられている。下部レンズ３１ｂは、鉛直方向に直交する断面で見ると、下部光源３１ａの近傍に第１焦点を位置させるとともに、集光水平シェード３３の先端３３ａの近傍に第２焦点を位置させる楕円を基調とする自由曲面とされている。また、下部レンズ３１ｂは、水平方向に直交する断面で見ると、下部光源３１ａの近傍に焦点を位置させる略放物面とされている。下部レンズ３１ｂは、集光水平投影レンズ３４と協働して集光水平下部パターン６６（図５参照）を形成するように、下部光源３１ａから出射された光を成形する光学設計とされている。実施例１の集光水平下部パターン６６は、後述する水平部分Ｃｌｈの下方の長尺な半円状の領域を照らす。
【００２６】
集光水平上部出射部３２は、第１上部光源３２ａ（図１参照）と第１上部レンズ３２ｂとを有する第１集光水平上部出射部３２１と、第２上部光源３２ｃ（図１参照）と第２上部レンズ３２ｄとを有する第２集光水平上部出射部３２２と、を備える。第１集光水平上部出射部３２１と第２集光水平上部出射部３２２とは、集光水平下部出射部３１の上方で水平に並んで設けられている。この両上部出射部（３２１、３２２）は、光軸方向前側から見て、集光水平下部出射部３１と三角形を描く位置関係で配置されている。
【００２７】
第１上部光源３２ａおよび第２上部光源３２ｃは、それぞれがＬＥＤ等の発光素子で構成され、下部光源３１ａが実装された基板に実装されている。その基板は、点灯制御回路からの電力を第１上部光源３２ａや第２上部光源３２ｃにも適宜供給することができ、下部光源３１ａと共にまたは個別に第１上部光源３２ａや第２上部光源３２ｃを点灯させる。なお、各光源（３１ａ、３２ａ、３２ｃ）は、別々の基板に設けられていてもよく、２つのみが同じ基板に設けられていてもよく、実施例１の構成に限定されない。
【００２８】
第１上部レンズ３２ｂは、第１上部光源３２ａに対応するもので、第１上部光源３２ａの光軸方向前側に設けられている。第１上部レンズ３２ｂは、対応するものが下部光源３１ａから第１上部光源３２ａに変わることを除くと、下部レンズ３１ｂと同様の構成とされている。第１上部レンズ３２ｂは、集光水平投影レンズ３４と協働して第１集光水平上部パターン６７（図５参照）を形成するように、第１上部光源３２ａから出射された光を成形する光学設計とされている。実施例１の第１集光水平上部パターン６７は、後述する水平部分Ｃｌｈの上方の長尺な半円状の領域を照らす。
【００２９】
第２上部レンズ３２ｄは、第２上部光源３２ｃに対応するもので、第２上部光源３２ｃの光軸方向前側に設けられている。第２上部レンズ３２ｄは、対応するものが下部光源３１ａから第２上部光源３２ｃに変わることを除くと、下部レンズ３１ｂと同様の構成とされている。第２上部レンズ３２ｄは、集光水平投影レンズ３４と協働して第２集光水平上部パターン６８（図５参照）を形成するように、第２上部光源３２ｃから出射された光を成形する光学設計とされている。実施例１の第２集光水平上部パターン６８は、第１集光水平上部パターン６７全体を含むとともに、第１集光水平上部パターン６７よりも上方および左右に広い領域を照らす。
【００３０】
集光水平シェード３３は、集光シェードとして機能するもので、薄い板状の部材であり、集光水平下部出射部３１から出射された光の一部を遮ることで、集光水平下部パターン６６の水平部分Ｃｌｈ（図５参照）を形成する。この水平部分Ｃｌｈは、すれ違い用配光パターンＬＰ（図９参照）におけるカットオフラインＣｌの一部分である水平な箇所を構成する。集光水平シェード３３は、集光水平下部出射部３１および集光水平上部出射部３２の前方において、集光水平下部出射部３１と集光水平上部出射部３２との間に相当する位置で、両上部出射部（３２１、３２２）が並ぶ方向と平行に設けられて水平面と平行とされている。集光水平シェード３３は、実施例１では、上記した位置関係とされているので、集光水平上部出射部３２から出射された光の一部も遮るものとされており、第１集光水平上部パターン６７および第２集光水平上部パターン６８の下端部を水平部分Ｃｌｈに沿う直線状とする（図５参照）。
【００３１】
集光水平投影レンズ３４は、集光水平下部出射部３１および両上部出射部（３２１、３２２）から出射された光を車両の前方へ投影する。実施例１の集光水平投影レンズ３４は、幅方向に伸びつつ鉛直方向のみに屈折力を持つシリンドリカルレンズで形成されており、母線ｇが水平方向に沿うものとされ（図１０参照）、後側焦線が集光傾斜シェード３３の先端３３ａの近傍でその先端３３ａに沿って設定されている。実施例１の集光水平投影レンズ３４は、光軸方向前側からの投影面における形状が矩形状とされており、集光傾斜投影レンズ２４の投影面における形状と略等しくされている（図１０参照）。集光水平投影レンズ３４は、集光水平下部出射部３１からの光で集光水平下部パターン６６を形成し、第１集光水平上部出射部３２１からの光で第１集光水平上部パターン６７を形成し、第２集光水平上部出射部３２２からの光で第２集光水平上部パターン６８を形成する（図５参照）。
【００３２】
集光水平ユニット１５は、集光水平下部出射部３１と集光水平上部出射部３２と集光水平シェード３３と集光水平投影レンズ３４とが上記した位置関係で固定部材に固定されて形成される。この固定部材は、例えば、各出射部（３１、３２）の各光源（３１ａ、３２ａ、３２ｃ）で発生する熱を外部に逃がす放熱部材としてのヒートシンクを用いることができる。このとき、集光水平ユニット１５は、集光水平投影レンズ３４が、集光傾斜ユニット１４の集光傾斜投影レンズ２４と水平方向に並ぶように配置されている。
【００３３】
集光水平ユニット１５は、点灯制御回路からの電力を基板から各光源（３１ａ、３２ａ、３２ｃ）に供給して各出射部（３１、３２１、３２２）を適宜一斉にまたは個別に点灯させることで、図５に示すように、上記した各配光パターン（６６、６７、６８）を一斉にまたは個別に形成する。第１集光水平上部パターン６７および第２集光水平上部パターン６８は、水平部分Ｃｌｈが略重なるように集光水平下部パターン６６の上方に形成される。その第１集光水平上部パターン６７は、中央に形成され、第２集光水平上部パターン６８は、第１集光水平上部パターン６７を包含しつつそこよりも広い範囲に形成される。このため、２つの水平上部パターン（６７、６８）を同時に形成した際に、下端近傍、特に中央の下端近傍の陰影を明確にできる。
【００３４】
集光ユニット１２は、集光傾斜ユニット１４の集光傾斜下部出射部２１と、集光水平ユニット１５の集光水平下部出射部３１と、を駆動する。すると、集光ユニット１２は、図６に示すように、第１集光傾斜下部パターン６３と第２集光傾斜下部パターン６４と集光水平下部パターン６６とを同時に形成する。この各下部パターン（６３、６４、６６）は、同時に形成されると中央付近で適宜重なり合わされ、傾斜部分Ｃｌｓと水平部分Ｃｌｈとが繋ぎ合わされてカットオフラインＣｌを形成する。このため、各下部パターン（６３、６４、６６）は、集光ユニット１２が形成する集光配光パターン６０において、下部となる集光下部パターンであって、上端にカットオフラインＣｌが形成されたすれ違い用配光パターンＬＰとなる。これにより、集光傾斜下部出射部２１と集光水平下部出射部３１とは、集光配光パターン６０の集光下部パターンを形成する集光下部出射部として機能する。
【００３５】
また、集光ユニット１２は、集光傾斜ユニット１４の集光傾斜上部出射部２２と、集光水平ユニット１５の集光水平上部出射部３２を駆動する。すると、集光ユニット１２は、集光傾斜上部パターン６５と第１集光水平上部パターン６７と第２集光水平上部パターン６８とを同時に形成する。この各上部パターン（６５、６７、６８）は、同時に形成されると中央付近で適宜重なり合わされて、各下部パターン（６３、６４、６６）と略隙間なくそのカットオフラインＣｌの上方を照らす。このため、各上部パターン（６５、６７、６８）は、集光ユニット１２が形成する集光配光パターン６０において、上部となる集光上部パターンであって、カットオフラインＣｌの上方を照らす走行用配光パターンＨＰとなる。これにより、集光傾斜上部出射部２２と集光水平上部出射部３２とは、集光配光パターン６０の集光上部パターンを形成する集光上部出射部として機能する。また、集光傾斜投影レンズ２４と集光水平投影レンズ３４とは、集光上部出射部および集光下部出射部から出射された光を光軸方向前側に投影する集光投影レンズとして機能する。
【００３６】
拡散ユニット１３は、図７に示すように、拡散下部出射部４１と拡散上部出射部４２と拡散シェード４３と拡散投影レンズ４４とを有する。拡散下部出射部４１は、第１下部光源４１ａ（図１参照）と第１下部レンズ４１ｂとを有する第１拡散下部出射部４１１と、第２下部光源４１ｃ（図１参照）と第２下部レンズ４１ｄとを有する第２拡散下部出射部４１２と、を備える。第１拡散下部出射部４１１と第２拡散下部出射部４１２とは、水平に並んで設けられている。
【００３７】
第１下部光源４１ａおよび第２下部光源４１ｃは、それぞれがＬＥＤ等の発光素子で構成され、同一の基板に実装されている。その基板は、点灯制御回路からの電力を第１下部光源４１ａや第２下部光源４１ｃに適宜供給することができ、第１下部光源４１ａおよび第２下部光源４１ｃを適宜一斉にまたは個別に点灯させる。
【００３８】
第１下部レンズ４１ｂは、第１下部光源４１ａに対応するもので、第１下部光源４１ａの光軸方向前側に設けられている。第１下部レンズ４１ｂは、集光ユニット１２の各レンズ（２１ｂ、２１ｄ、２２ｂ、３１ｂ、３２ｂ、３２ｄ）よりも短い焦点距離とされており、拡散投影レンズ４４までの間隔が集光ユニット１２の各出射部（２１１、２１２、２２、３１、３２１、３２２）よりも短くされている（図１参照）。第１下部レンズ４１ｂは、鉛直方向に直交する断面で見ると、第１下部光源４１ａの近傍に第１焦点を位置させるとともに、拡散シェード４３の先端４３ａの近傍に第２焦点を位置させる楕円を基調とする自由曲面とされている。また、第１下部レンズ４１ｂは、水平方向に直交する断面で見ると、第１下部光源４１ａの近傍に焦点を位置させる略放物面とされている。第１下部レンズ４１ｂは、拡散投影レンズ４４と協働して第１拡散下部パターン７１（図８参照）を形成するように、第１下部光源４１ａから出射された光を成形する光学設計とされている。実施例１の第１拡散下部パターン７１は、カットオフラインＣｌの右斜め下方で、各下部パターン（６３、６４、６６（図６参照））よりも下方および左右に広い領域を照らす。
【００３９】
第２下部レンズ４１ｄは、第２下部光源４１ｃに対応するもので、第２下部光源４１ｃの光軸方向前側に設けられている。第２下部レンズ４１ｄは、対応するものが第１下部光源４１ａから第２下部光源４１ｃに変わることを除くと、第１下部レンズ４１ｂと同様の構成とされている。第２下部レンズ４１ｄは、拡散投影レンズ４４と協働して第２拡散下部パターン７２（図８参照）を形成するように、第２下部光源４１ｃから出射された光を成形する光学設計とされている。実施例１の第２拡散下部パターン７２は、第１拡散下部パターン７１と略等しい形状および大きさの領域を照らすものとされており、第１拡散下部パターン７１とそれよりも左側の領域を照らす。
【００４０】
拡散上部出射部４２は、第１拡散下部出射部４１１と第２拡散下部出射部４１２との間の下方に設けられている。この拡散上部出射部４２は、光軸方向前側から見て、両下部出射部（４１１、４１２）と三角形を描く位置関係で配置されている。
【００４１】
拡散上部出射部４２は、上部光源４２ａ（図１参照）と上部レンズ４２ｂとを有する。上部光源４２ａは、ＬＥＤ等の発光素子で構成され、第１下部光源４１ａおよび第２下部光源４１ｃが実装された基板に実装されている。その基板は、点灯制御回路からの電力を上部光源４２ａにも適宜供給することができ、第１下部光源４１ａや第２下部光源４１ｃと共にまたは個別に上部光源４２ａを点灯させる。なお、各光源（４１ａ、４１ｃ、４２ａ）は、別々の基板に設けられていてもよく、２つのみが同じ基板に設けられていてもよく、実施例１の構成に限定されない。
【００４２】
上部レンズ４２ｂは、上部光源４２ａに対応するもので、上部光源４２ａの光軸方向前側に設けられている。上部レンズ４２ｂは、対応するものが第１下部光源４１ａから上部光源４２ａに変わることを除くと、第１下部レンズ４１ｂと同様の構成とされている。上部レンズ４２ｂは、拡散投影レンズ４４と協働して拡散上部パターン７３（図８参照）を形成するように、上部光源４２ａから出射された光を成形する光学設計とされている。実施例１の拡散上部パターン７３は、第１拡散下部パターン７１と第２拡散下部パターン７２との中間位置において、それら下部パターン（７１、７２）の上方の長尺な半円状の領域を照らす。
【００４３】
拡散シェード４３は、薄い板状の部材であり、拡散下部出射部４１から出射された光の一部を遮ることで、第１拡散下部パターン７１および第２拡散下部パターン７２の上端縁を形成する。この上端縁は、すれ違い用配光パターンＬＰ（図９参照）におけるカットオフラインＣｌの水平部分Ｃｌｈよりも下方で水平部分Ｃｌｈに沿って伸びるものとされる。拡散シェード４３は、拡散下部出射部４１および拡散上部出射部４２の前方において、拡散下部出射部４１と拡散上部出射部４２との間に相当する位置で、両下部出射部（４１１、４１２）が並ぶ方向と平行に設けられて水平面と平行とされている。拡散シェード４３は、実施例１では、上記した位置関係とされているので、拡散上部出射部４２から出射された光の一部も遮るものとされており、拡散上部パターン７３の下端部を水平部分Ｃｌｈに沿う直線状とする（図８参照）。
【００４４】
拡散投影レンズ４４は、両下部出射部（４１１、４１２）および拡散上部出射部４２から出射された光を車両の前方へ投影する。実施例１の拡散投影レンズ４４は、幅方向に伸びつつ鉛直方向のみに屈折力を持つシリンドリカルレンズで形成されており、母線ｇが水平方向に沿うものとされ（図１０参照）、後側焦線が集光傾斜シェード４３の先端４３ａの近傍でその先端４３ａに沿って設定されている。実施例１の拡散投影レンズ４４は、光軸方向前側からの投影面における形状が矩形状とされており、集光傾斜投影レンズ２４および集光水平投影レンズ３４の投影面における形状と略等しくされている（図１０参照）。拡散投影レンズ４４は、第１拡散下部出射部４１１からの光で第１拡散下部パターン７１を形成し、第２拡散下部出射部４１２からの光で第２拡散下部パターン７２を形成し、拡散上部出射部４２からの光で拡散上部パターン７３を形成する（図８参照）。
【００４５】
拡散ユニット１３は、拡散下部出射部４１と拡散上部出射部４２と拡散シェード４３と拡散投影レンズ４４とが上記した位置関係で固定部材に固定されて形成される。この固定部材は、例えば、拡散下部出射部４１および拡散上部出射部４２の各光源（４１ａ、４１ｃ、４２ａ）で発生する熱を外部に逃がす放熱部材としてのヒートシンクを用いることができる。このとき、拡散ユニット１３は、図１および図１０に示すように、拡散投影レンズ４４が、水平方向に一直線上に並べられた集光傾斜ユニット１４の集光傾斜投影レンズ２４および集光水平ユニット１５の集光水平投影レンズ３４と向きを一致させつつ水平方向に並ぶように配置されている。実施例１では、集光傾斜投影レンズ２４と集光水平投影レンズ３４と拡散投影レンズ４４が一体的に形成されている（図１および図１０の二点鎖線参照）。ここで、集光傾斜投影レンズ２４は、母線gが水平方向に対して傾斜されているが、上記したように光軸方向前側からの投影面における形状が他の２つの投影レンズ３４、４４と同様に水平方向に長尺な略矩形状とされているので、３つの等しい矩形状を連続して配置することができる。なお、３つの投影レンズ２４、３４、４４の投影面における形状が互いに等しいとは、完全に一致することのみを言うのではなく、光軸方向前側から見た際に等しい形状（主に外形）と感じさせるものであればよい。
【００４６】
拡散ユニット１３は、点灯制御回路からの電力を基板から各光源（４１ａ、４１ｃ、４２ａ）に供給して各出射部（４１１、４１２、４２）を適宜一斉にまたは個別に点灯させることで、図８に示すように、上記した各配光パターン（７１、７２、７３）を一斉にまたは個別に形成する。その第１拡散下部パターン７１および第２拡散下部パターン７２は、中央付近が重複されつつ左右にずらして形成されている。このため、その２つの拡散下部パターン（７１、７２）を同時に形成した際に、左右に広い領域を照らすことができる。
【００４７】
拡散ユニット１３は、両下部出射部（４１１、４１２）を駆動する。すると、拡散ユニット１３は、第１拡散下部パターン７１と第２拡散下部パターン７２とを同時に形成する。この両下部パターン（７１、７２）は、同時に形成されると中央付近で適宜重なり合わされて、集光ユニット１２が形成する拡散配光パターン７０の各下部パターン（６３、６４、６６）の少し下方において各下部パターン（６３、６４、６６）よりも広い範囲を照射する。このため、両下部パターン（７１、７２）は、拡散配光パターン７０において、下方を照らすすれ違い用配光パターンＬＰとなる。
【００４８】
また、拡散ユニット１３は、拡散上部出射部４２を駆動する。すると、拡散ユニット１３は、拡散上部パターン７３を形成する。この拡散上部パターン７３は、両下部パターン（７１、７２）と同時に形成されると、両下部パターン（７１、７２）と略隙間なくその上方を照らす。このため、拡散上部パターン７３は、拡散ユニット１３が形成する拡散配光パターン７０において、上方を照らす走行用配光パターンＨＰとなる。
【００４９】
車両用灯具１０は、集光ユニット１２の集光傾斜ユニット１４の集光傾斜下部出射部２１および集光水平ユニット１５の集光水平下部出射部３１と、拡散ユニット１３の拡散下部出射部４１と、を同時に駆動する。すると、車両用灯具１０は、図９に示すように、集光配光パターン６０における第１集光傾斜下部パターン６３、第２集光傾斜下部パターン６４、集光水平下部パターン６６と、拡散配光パターン７０における第１拡散下部パターン７１、第２拡散下部パターン７２と、を同時に形成する。これにより、車両用灯具１０は、傾斜エッジと水平エッジとが繋ぎ合わされた形状のカットオフラインＣｌを鮮明しつつ、左右の広い領域を照らすすれ違い用配光パターンＬＰを形成する。
【００５０】
また、車両用灯具１０は、集光ユニット１２の集光傾斜ユニット１４の集光傾斜上部出射部２２および集光水平ユニット１５の集光水平上部出射部３２と、拡散ユニット１３の拡散上部出射部４２と、を同時に駆動する。すると、車両用灯具１０は、集光配光パターン６０における集光傾斜上部パターン６５、第１集光水平上部パターン６７、第２集光水平上部パターン６８と、拡散配光パターン７０における拡散上部パターン７３と、を同時に形成する。これにより、車両用灯具１０は、カットオフラインＣｌの上方にすれ違い用配光パターンＬＰと略隙間なく並べられて、左右の広い領域を照らす走行用配光パターンＨＰを形成する。
【００５１】
このため、車両用灯具１０は、集光ユニット１２および拡散ユニット１３において、各下部出射部（２１１、２１２、３１、４１１、４１２）を駆動することで、すれ違い用配光パターンＬＰを形成できる。また、車両用灯具１０は、集光ユニット１２および拡散ユニット１３において、各上部出射部（２２、３２１、３２２、４２）を駆動することで、走行用配光パターンＨＰを形成できる。このように、車両用灯具１０は、集光ユニット１２および拡散ユニット１３において駆動するものを各下部出射部と各上部出射部とで切り替えることで、すれ違い用配光パターンＬＰと走行用配光パターンＨＰとを切り替えて形成できる。車両用灯具１０は、通常の走行時にはすれ違い用配光パターンＬＰおよび走行用配光パターンＨＰを同時に形成し、対向車がいる場合等にはすれ違い用配光パターンＬＰのみを形成する。ここで、車両用灯具１０は、従来の構成と比較して、シェードを変位させるための駆動機構を設ける必要がないので、大きさや重量の増加を抑制できる。これは、従来の構成では、すれ違い用配光パターンにおけるカットオフラインを形成するために光の一部を遮る位置でシェードを適切に固定する必要がある。このため、従来の構成では、駆動機構をソレノイドやモータ等を用いて構成することが考えられるが、上記したようにシェードを適切に固定するものとすると、駆動機構の大きさや重量が増加することによる。
【００５２】
また、車両用灯具１０は、複数の下部パターン（６３、６４、６６、７１、７２）ですれ違い用配光パターンＬＰを形成するので、各下部パターンの位置や形状や重ね具合を設定するだけの簡易な構成で、カットオフラインＣｌを形成できるとともにすれ違い用配光パターンＬＰにおける明るさの分布や形状を細かに設定できる。
【００５３】
加えて、車両用灯具１０は、集光傾斜ユニット１４と集光水平ユニット１５と拡散ユニット１３とが水平方向に並べて配置されて構成されている。このため、車両用灯具１０は、それぞれに設けられた集光傾斜投影レンズ２４および集光水平投影レンズ３４と、拡散投影レンズ４４と、が水平方向に並べて配置されている。ここで、各投影レンズ（２４、３４、４４）は、光軸方向前側からの投影面における形状が互いに等しい矩形状とされているので、水平方向に並べられることで、３つの等しい矩形状が連続して配置されて、洗練された見栄えにできる（図１０参照）。特に、実施例１では、３つの投影レンズ（２４、３４、４４）を一体的に形成しているので、より洗練された見栄えにできる（図１０参照）。なお、各投影レンズ（２４、３４、４４）は、上記したように走行用配光パターンＨＰやすれ違い用配光パターンＬＰの形成を可能とするものであれば、並べる順番や並べる方向や互いの位置関係は適宜設定すればよく、実施例１の構成に限定されない。また、各投影レンズは、個別に形成して配置してもよく、実施例１の構成に限定されない。
【００５４】
さらに、車両用灯具１０は、各ユニット（１２、１３）において、光源（２１ａ、２１ｃ、２２ａ、３１ａ、３２ａ、３２ｃ、４１ａ、４１ｃ、４２ａ）と、レンズ（２１ｂ、２１ｄ、２２ｂ、３１ｂ、３２ｂ、３２ｄ、４１ｂ、４１ｄ、４２ｂ）と、で構成した各出射部（２１、２２、３１、３２、４１、４２）を設けている。そして、車両用灯具１０は、各ユニットにおいて、各出射部でそれぞれが形成するパターン（６３から６８、７１から７３）に合わせて光源からの光をレンズで成形し、その光を各投影レンズ（２４、３４、４４）が上下方向の大きさの調整しつつ光軸方向前側に投影している。このため、車両用灯具１０は、各ユニットにおける投影レンズに求める機能を低減できるので、各投影レンズの光軸方向前側からの投影面における形状を円形以外のもの（実施例１では矩形状）とすることができ、より洗練された見栄えにできる。なお、各投影レンズは、光軸方向前側からの投影面における形状は適宜設定すればよく、実施例１の構成に限定されない。
【００５５】
実施例１の車両用灯具１０は、以下の各作用効果を得ることができる。
【００５６】
車両用灯具１０は、集光ユニット１２が、集光上部パターン（６５、６７、６８）を形成する光を出射する集光上部出射部（２２、３２）と、集光下部パターン（６３、６４、６６）を形成する光を出射する集光下部出射部（２１、３１）と、両出射部から出射された光を光軸方向前側に投影する集光投影レンズ（２４、３４）と、を有する。また、車両用灯具１０は、拡散ユニット１３が、拡散上部パターン７３を形成する光を出射する拡散上部出射部４２と、拡散下部パターン（７１、７２）を形成する光を出射する拡散下部出射部４１と、両出射部（４２、４１）から出射された光を光軸方向前側に投影する拡散投影レンズ４４と、を有する。そして、車両用灯具１０は、集光下部パターンと拡散下部パターンとによりすれ違い用配光パターンＬＰを形成し、集光上部パターンと拡散上部パターン７３とにより走行用配光パターンＨＰを形成する。このため、車両用灯具１０は、シェードを変位させるための駆動機構を設けることなく、すれ違い用配光パターンＬＰと走行用配光パターンＨＰとを切り替え可能とすることができ、大きさや重量の増加を抑制できる。
【００５７】
車両用灯具１０は、集光ユニット１２が、傾斜するカットオフラインＣｌを有する集光傾斜下部パターン（６３、６４）を形成する集光傾斜ユニット１４を有する。このため、車両用灯具１０は、簡易な構成で、傾斜するカットオフラインＣｌを形成できる。
【００５８】
車両用灯具１０は、集光ユニット１２が、水平なカットオフラインＣｌを有する集光水平下部パターン６６を形成する集光水平ユニット１５を有する。このため、車両用灯具１０は、簡易な構成で、水平なカットオフラインＣｌを形成できる。
【００５９】
車両用灯具１０は、各出射部（２１、２２、３１、３２、４１、４２）が、それぞれが個別に光源（２１ａ、２１ｃ、２２ａ、３１ａ、３２ａ、３２ｃ、４１ａ、４１ｃ、４２ａ）と、光源からの光を成形するレンズ（２１ｂ、２１ｄ、２２ｂ、３１ｂ、３２ｂ、３２ｄ、４１ｂ、４１ｄ、４２ｂ）と、を有する。このため、車両用灯具１０は、各出射部でそれぞれ形状や位置の異なるパターンを容易に形成させることができる。また、車両用灯具１０は、各ユニットにおける投影レンズに求める機能を低減でき、各投影レンズの光軸方向前側からの投影面における形状の自由度を向上でき、より洗練された見栄えにできる。
【００６０】
車両用灯具１０は、集光上部出射部と集光下部出射部とのいずれか一方が２組の光源とレンズとを有し、拡散上部出射部４２と拡散下部出射部４１とのいずれか一方が２組の光源とレンズとを有している。このため、車両用灯具１０は、形成するパターンにおいて、簡易な構成でカットオフラインＣｌを形成できるとともに明るさの分布や形状をより細かに設定できる。
【００６１】
車両用灯具１０は、集光上部出射部および集光下部出射部の光軸方向前側でそれらの間に集光シェード（２３、３３）が設けられ、拡散上部出射部４２および拡散下部出射部４１の光軸方向前側でそれらの間に拡散シェード４３が設けられている。このため、車両用灯具１０は、簡易な構成で集光配光パターン６０や拡散配光パターン７０の各下部パターンにおける上限位置（カットオフラインＣｌを含む）を適切に定めることができ、適切なすれ違い用配光パターンＬＰを形成できる。
【００６２】
車両用灯具１０は、集光投影レンズと拡散投影レンズ４４とが、鉛直方向のみに屈折力を持つシリンドリカルレンズ（実施例１では集光傾斜投影レンズ２４の屈折力を持つ方向が鉛直方向から上記したように傾けられている）で形成されている。このため、車両用灯具１０は、形成するパターンにおける上下方向の大きさを各投影レンズで調整することができ、各出射部におけるパターンの形成のための光学設計を簡易にできる。
【００６３】
車両用灯具１０は、集光投影レンズと拡散投影レンズ４４とが、光軸方向前側からの投影面において互いに等しい形状とされている。このため、車両用灯具１０は、異なる機能を有する各ユニット（１２（１４、１５）、１３）の外観を等しいものにでき、洗練された見栄えにできる。
【００６４】
したがって、本開示に係る車両用灯具１０としての実施例１の車両用灯具１０は、すれ違い用配光パターンＬＰと走行用配光パターンＨＰとを切り替え可能としつつ大きさや重量の増加を抑制できる。
【００６５】
以上、本開示の車両用灯具を実施例１に基づき説明してきたが、具体的な構成については実施例１に限られるものではなく、特許請求の範囲の各請求項に係る発明の要旨を逸脱しない限り、設計の変更や追加等は許容される。
【００６６】
なお、実施例１では、集光投影レンズ（２４、３４）と拡散投影レンズ４４とをシリンドリカルレンズで形成している。しかしながら、車両用灯具１０は、各出射部（２１、２２、３１、３２、４１、４２）から出射された光を光軸方向前側に投影するものであればよく、実施例１の構成に限定されない。この他の例としては、例えば、図１１に示すような構成とすることがあげられる。この図１１は、一例として集光傾斜ユニット１４に替えて用いる集光傾斜投影レンズ２４Ａを上下方向で見た状態で示しているが、集光水平ユニット１５に用いる集光水平投影レンズ３４や拡散ユニット１３に用いる拡散投影レンズ４４であっても同様の構成にできる。その集光傾斜投影レンズ２４Ａは、光軸方向前側の出射面２４ａが鉛直方向のみに屈折力を持つものとされ、光軸方向後側の入射面２４ｂが水平方向のみに屈折力を持つものとされており、実施例１の集光傾斜投影レンズ２４と同様に傾斜されている。すなわち、集光傾斜投影レンズ２４Ａは、出射面２４ａが凸面または凹面とされて実施例１の集光傾斜投影レンズ２４と同様の機能とされており、入射面２４ｂが集光傾斜投影レンズ２４とは異なる機能とされている。この入射面２４ｂは、上記した各出射部から出射された光の水平方向での大きさの調整を行う。上側に示す集光傾斜投影レンズ２４Ａの入射面２４ｂは、凸面とされており、各出射部から出射された光の水平方向での大きさを縮小する。また、下側に示す集光傾斜投影レンズ２４Ａの入射面２４ｂは、凹面とされており、各出射部から出射された光の水平方向での大きさを拡大する。集光傾斜投影レンズ２４Ａは、各出射部から出射された光の水平方向での大きさを入射面２４ｂで調整できるので、形成するパターンの調整をより容易なものにできるとともに、各出射部におけるパターンの形成のための光学設計をより簡易にできる。また、集光傾斜投影レンズ２４Ａは、出射面２４ａおよび入射面２４ｂを凸面または凹面とすることで上記した機能を有するものとしているので、光軸方向前側からの投影面における形状を集光傾斜投影レンズ２４と同様に矩形状とすることができ、より洗練された見栄えにできる。
【００６７】
また、実施例１では、集光ユニット１２が２つの各ユニット（１４、１５）を有している。しかしながら、車両用灯具１０は、集光配光パターン６０を形成する集光ユニット１２と、拡散配光パターン７０を形成する拡散ユニット１３とを備えるものであればよく、実施例１の構成に限定されない。
【００６８】
さらに、実施例１では、各ユニット（１２（１４、１５）、１３）がそれぞれ３つの出射部（２１１、２１２、２２、３１、３２１、３２２、４１１、４１２、４２）を有している。しかしながら、車両用灯具１０は、各ユニットが、上部パターンを形成する光を出射する上部出射部と、下部パターンを形成する光を出射する下部出射部とを有するものであればよく、実施例１の構成に限定されない。
【符号の説明】
【００６９】
１０  車両用灯具      １２  集光ユニット      １３  拡散ユニット      １４  集光傾斜ユニット      １５  集光水平ユニット      ２１  集光傾斜下部出射部（集光下部出射部の一例）      ２２  集光傾斜上部出射部（集光上部出射部の一例）      ２３  集光傾斜シェード（集光シェードの一例）      ２４  集光傾斜投影レンズ（集光投影レンズの一例）      ２４ａ  出射面      ２４ｂ  入射面      ３１  集光水平下部出射部（集光下部出射部の一例）      ３２  集光水平上部出射部（集光上部出射部の一例）      ３３  集光水平シェード（集光シェードの一例）      ３４  集光水平投影レンズ（集光投影レンズの一例）      ４１  拡散下部出射部      ４２  拡散上部出射部      ２１ａ、２１ｃ、２２ａ、３１ａ、３２ａ、３２ｃ、４１ａ、４１ｃ、４２ａ  光源      ２１ｂ、２１ｄ、２２ｂ、３１ｂ、３２ｂ、３２ｄ、４１ｂ、４１ｄ、４２ｂ  レンズ      ４３  拡散シェード      ４４  拡散投影レンズ      ６０  集光配光パターン      ６３  第１集光傾斜下部パターン（集光下部パターンの一例）      ６４  第２集光傾斜下部パターン（集光下部パターンの一例）      ６６  集光水平下部パターン      ６５  集光傾斜上部パターン（集光上部パターンの一例）      ６７  第１集光水平上部パターン（集光上部パターンの一例）      ６８  第２集光水平上部パターン（集光上部パターンの一例）      ７０  拡散配光パターン      ７１  第１拡散下部パターン（拡散下部パターンの一例）      ７２  第２拡散下部パターン（拡散下部パターンの一例）      ７３  拡散上部パターン      Ｃｌ  カットオフライン      ＨＰ  走行用配光パターン      ＬＰ  すれ違い用配光パターン
【図１】
2019220377.tif 000003
【図２】
2019220377.tif 000004
【図３】
2019220377.tif 000005
【図４】
2019220377.tif 000006
【図５】
2019220377.tif 000007
【図６】
2019220377.tif 000008
【図７】
2019220377.tif 000009
【図８】
2019220377.tif 000010
【図９】
2019220377.tif 000011
【図１０】
2019220377.tif 000012
【図１１】
2019220377.tif 000013